(57)【要約】  本実施形態のオブジェクト制御方法に係るシステムは、Ｗｅｂサーバ１０とユーザ端末２０とがインターネット３０を介して接続されたクライアント・サーバシステムである。本実施形態のオブジェクト制御方法に係るシステムでは、Ｗｅｂサーバ１０が送信するＷｅｂページにスクリプト（オブジェクト制御プログラム）を組み込み、ユーザ端末２０に実行させる。なお、当該Ｗｅｂページには、リンク要素（他のＷｅｂページへのリンクが設定されている要素）が複数配置されているものとする。オブジェクト制御プログラムを読み込んだコンピュータ端末は、Ｗｅｂページ内でリンク要素の前面に複数のアイコンを重畳表示する。また、所定のイベントを検出したとき、イベントの種類に応じて、例えば（ａ）特定のアイコンの配置位置を変更し、（ｂ）特定のアイコンを一時的に又は完全に消去し、（ｃ）複数の不特定のアイコンの配置位置を変更する。
2011052513.tif 000002
【特許請求の範囲】
【請求項１】
他のＷｅｂページへのリンクが設定されているリンク要素を含むＷｅｂページにおいて、該リンク要素に関連付けて複数のアイコンを表示するオブジェクト制御方法であって、
前記リンク要素を含むＷｅｂページを表示するコンピュータ端末に、
前記アイコンごとに、前記リンク要素の内容領域内に当該アイコンの配置位置を設定する配置位置設定ステップと、
前記設定した配置位置において前記リンク要素の前面に当該リンク要素のクリックを妨害する前記アイコンを表示するアイコン表示ステップと、
前記アイコンに対するユーザ操作を検出したとき、１又は複数のアイコンを変位させるアイコン変位ステップと
を実行させる
ことを特徴とするオブジェクト制御方法。
【請求項２】
請求項１に記載のオブジェクト制御方法において、
前記各アイコンは、一定の領域を有する画像であり、
前記複数のアイコンを前記リンク要素の前面の全面に重畳表示させて、該複数のアイコンによって該リンク要素に対するクリックを妨害する
ことを特徴とするオブジェクト制御方法。
【請求項３】
請求項２に記載のオブジェクト制御方法において、
前記各アイコンの画像は、不透明領域と透明領域とから構成されており、
前記リンク要素の前面に重畳表示させた画像の透明領域を通して該リンク要素の内容領域が可視化される
ことを特徴とするオブジェクト制御方法。
【請求項４】
請求項１〜３のいずれかに記載のオブジェクト制御方法において、
前記アイコン変位ステップは、前記いずれかのアイコンに対するドラッグ及びドロップを検出したとき、該アイコンをドロップ先に変位配置させる処理を含む
ことを特徴とするオブジェクト制御方法。
【請求項５】
請求項１〜４のいずれかに記載のオブジェクト制御方法において、
前記アイコン変位ステップは、前記いずれかのアイコンにポインタが重なったとき、所定の確率で該アイコンを変位させる処理を含む
ことを特徴とするオブジェクト制御方法。
【請求項６】
請求項１〜５のいずれかに記載のオブジェクト制御方法において、
前記変位させたアイコンごとに、該アイコンを変更前の配置位置又はその周辺に向けて変位させるアイコン再変位ステップを、前記コンピュータ端末にさらに実行させる
ことを特徴とするオブジェクト制御方法。
【請求項７】
請求項１〜６のいずれかに記載のオブジェクト制御方法において、
前記いずれかのアイコンに対するクリック又はダブルクリックを検出したとき、該アイコンを消去するアイコン消去ステップを、前記コンピュータ端末にさらに実行させる
ことを特徴とするオブジェクト制御方法。
【請求項８】
請求項７に記載のオブジェクト制御方法において、
前記アイコン消去ステップは、前記アイコンごとに該アイコンに対するクリック回数をカウントし、該カウントしたクリック回数が所定値に達していないとき前記消去したアイコンを所定時間経過後に再表示する処理を含む
ことを特徴とするオブジェクト制御方法。
【請求項９】
請求項７に記載のオブジェクト制御方法において、
前記アイコン消去ステップは、前記アイコンごとに該アイコンに対するクリック回数をカウントし、該カウントしたクリック回数が所定値に達したとき該アイコンを消去するステップである
ことを特徴とするオブジェクト制御方法。
【請求項１０】
他のＷｅｂページへのリンクが設定されているリンク要素を含むＷｅｂページにおいて、該リンク要素に関連付けて複数のアイコンを表示するオブジェクト制御プログラムであって、
前記リンク要素を含むＷｅｂページを表示するコンピュータ端末に、
前記アイコンごとに、前記リンク要素の内容領域内に当該アイコンの配置位置を設定する配置位置設定ステップと、
前記設定した配置位置において前記リンク要素の前面に当該リンク要素のクリックを妨害する前記アイコンを表示するアイコン表示ステップと、
前記アイコンに対するユーザ操作を検出したとき、１又は複数のアイコンを変位させるアイコン変位ステップと
を実行させる
ことを特徴とするオブジェクト制御プログラム。
【請求項１１】
ユーザ端末と接続可能なＷｅｂサーバであって、
他のＷｅｂページへのリンクが設定されているリンク要素を含むＷｅｂページのデータと、該Ｗｅｂページに組み込まれた請求項１０に記載のオブジェクト制御プログラムとを少なくとも含むＷｅｂデータを記憶しているＷｅｂデータ記憶手段を有し、
前記ユーザ端末からの要求に応じて、前記Ｗｅｂデータを該ユーザ端末に送信するＷｅｂデータ送信手段を備える
ことを特徴とするＷｅｂサーバ。
【発明の詳細な説明】
【技術分野】
【０００１】
本発明は、Ｗｅｂページ上でリンクが設定されている要素の前面にオブジェクトを表示する仕組みに関し、特に、ユーザの操作に応じて当該オブジェクトを制御する処理に関するものである。
【背景技術】
【０００２】
＜先行技術１＞
ユーザ端末の画面上に表示させた地図上において、特定の出発地点から特定の到着地点に向けて所定の画像を移動させる仕組みが知られている（例えば、特許文献１参照）。具体的には、出発地点と到着地点を両端とする線分を所定の数（例えば、１００）に分割し、出発地点側からｎ番目の地点（例えば、０≦ｎ≦１００）の位置（緯度・経度）に対応する画面表示領域のピクセル座標（Ｙｎ，Ｘｎ）に画像を表示する処理を繰り返す（同文献［図１９−２］のＳ３４〜Ｓ４４，段落［０１１５］〜［０１１７］等参照）。
【先行技術文献】
【特許文献】
【０００３】
【特許文献１】特開２００９−１２９１１９号公報
【発明の概要】
【発明が解決しようとする課題】
【０００４】
Ｗｅｂページには、他のＷｅｂページへのリンクが設定されている要素（例えば、画像，テキスト，ボタン等）が配置されることが多い。リンクを設定することにより、任意のＷｅｂページ同士を直接的に結びつけることができる。また、リンクが設定されている要素自体に動きをつければ、ユーザの注目をある程度集めることができる。【０００５】
その一方で、Ｗｅｂページの転送に利用されるＨＴＴＰの性質上、他のユーザの行動・操作等がＷｅｂページ内にリアルタイムで反映されることは基本的にない。そのため、リンクが設定されている要素は、常時クリック可能になっているのが普通である。したがって、従来のＷｅｂページには、個々の要素に動きはあっても、総じて人気（ひとけ）がなかった。【０００６】
本発明の目的は、Ｗｅｂページ内に人気（ひとけ）を演出することができるオブジェクト制御方法を提供することである。本発明の他の目的は、リンクが設定されている要素の前面に、クリックを妨害するオブジェクトを重畳的に表示するオブジェクト制御方法を提供することである。本発明のさらに他の目的は、前記オブジェクトに対するユーザ操作を検出したとき、前記オブジェクトを変位させるオブジェクト制御方法を提供することである。
【課題を解決するための手段】
【０００７】
上記課題を解決するため、本発明は、他のＷｅｂページへのリンクが設定されているリンク要素を含むＷｅｂページにおいて、該リンク要素に関連付けて複数のアイコンを表示するオブジェクト制御方法であって、前記リンク要素を含むＷｅｂページを表示するコンピュータ端末に、前記アイコンごとに、前記リンク要素の内容領域内に当該アイコンの配置位置を設定する配置位置設定ステップと、前記設定した配置位置において前記リンク要素の前面に当該リンク要素のクリックを妨害する前記アイコンを表示するアイコン表示ステップと、前記アイコンに対するユーザ操作を検出したとき、１又は複数のアイコンを変位させるアイコン変位ステップとを実行させることを特徴とする。【０００８】
前記各アイコンは、一定の領域を有する画像であり、前記複数のアイコンを前記リンク要素の前面の全面に重畳表示させて、該複数のアイコンによって該リンク要素に対するクリックを妨害するように構成してもよい。前記各アイコンの画像は、不透明領域と透明領域とから構成されており、前記リンク要素の前面に重畳表示させた画像の透明領域を通して該リンク要素の内容領域が可視化されるように構成してもよい。【０００９】
前記アイコン変位ステップは、前記いずれかのアイコンに対するドラッグ及びドロップを検出したとき、該アイコンをドロップ先に変位配置させる処理を含んでいてもよい。前記アイコン変位ステップは、前記いずれかのアイコンにポインタが重なったとき、所定の確率で該アイコンを変位させる処理を含んでいてもよい。前記変位させたアイコンごとに、該アイコンを変更前の配置位置又はその周辺に向けて変位させるアイコン再変位ステップを、前記コンピュータ端末にさらに実行させてもよい。【００１０】
前記いずれかのアイコンに対するクリック又はダブルクリックを検出したとき、該アイコンを消去するアイコン消去ステップを、前記コンピュータ端末にさらに実行させてもよい。前記アイコン消去ステップは、前記アイコンごとに該アイコンに対するクリック回数をカウントし、該カウントしたクリック回数が所定値に達していないとき前記消去したアイコンを所定時間経過後に再表示する処理を含んでいてもよい。前記アイコン消去ステップは、前記アイコンごとに該アイコンに対するクリック回数をカウントし、該カウントしたクリック回数が所定値に達したとき該アイコンを消去するステップであってもよい。【００１１】
また、上記課題を解決するため、本発明は、他のＷｅｂページへのリンクが設定されているリンク要素を含むＷｅｂページにおいて、該リンク要素に関連付けて複数のアイコンを表示するオブジェクト制御プログラムであって、前記リンク要素を含むＷｅｂページを表示するコンピュータ端末に、前記アイコンごとに、前記リンク要素の内容領域内に当該アイコンの配置位置を設定する配置位置設定ステップと、前記設定した配置位置において前記リンク要素の前面に当該リンク要素のクリックを妨害する前記アイコンを表示するアイコン表示ステップと、前記アイコンに対するユーザ操作を検出したとき、１又は複数のアイコンを変位させるアイコン変位ステップとを実行させるプログラムであることを特徴とする。【００１２】
また、上記課題を解決するため、本発明は、ユーザ端末と接続可能なＷｅｂサーバであって、他のＷｅｂページへのリンクが設定されているリンク要素を含むＷｅｂページのデータと、該Ｗｅｂページに組み込まれた上記オブジェクト制御プログラムとを少なくとも含むＷｅｂデータを記憶しているＷｅｂデータ記憶手段を有し、前記ユーザ端末からの要求に応じて、前記Ｗｅｂデータを該ユーザ端末に送信するＷｅｂデータ送信手段を備えることを特徴とする。
【発明の効果】
【００１３】
本発明のオブジェクト制御方法は、他のＷｅｂページへのリンクが設定されているリンク要素を含むＷｅｂページ内で、当該リンク要素の前面に当該リンク要素のクリックを妨害する複数のアイコンを表示する。また、本発明のオブジェクト制御プログラムを読み込んだコンピュータ端末は、Ｗｅｂページ内でアイコンに対するユーザ操作を検出したとき、上記リンク要素の前面に表示されているアイコンを変位させたり消去させたりする。【００１４】
本発明では、リンク要素は商店街又はショッピングモールを具現化し、アイコンは当該商店街又はショッピングモールに来訪するユーザを具現化している。複数のアイコンを特定のリンク要素の前面に重畳表示することにより、特定の商品又はショップを目当てに「人だかり」ができている様子がＷｅｂページ上で表現される。また、ユーザの操作（例えば、ポインタの移動，クリック等）に応じてアイコンを変位させることにより、その「人だかり」に割って入っていく様子が連想される。これらの結果として、Ｗｅｂページ内に人気（ひとけ）を演出することができる。クリックを妨害するアイコンによって、リンク要素へのアクセスが制限されて、ユーザの購入意欲を刺激する効果を期待できる。逆に、複数のリンク要素のうち一部のリンク要素へのアクセスを制限して、残余のリンク要素にアクセスを振り分けることができるので、一部のリンク要素を処理するサーバ負荷を軽減して、サーバ全体の負荷を均等化することができる。
【図面の簡単な説明】
【００１５】
【図１】システム構成を示すブロック図である。（実施形態）
【図２】オブジェクト制御プログラムの実行手順を示すフロー図である。（実施形態）
【図３】初期化処理の手順を示すフロー図である。（実施形態）
【図４】アイコンオブジェクトのプロパティ項目の説明図である。（実施形態）
【図５】（Ｗｅｂページ上方）アイコンの表示例である。（実施形態）
【図６】（Ｗｅｂページ下方）アイコンの表示例である。（実施形態）
【図７】イベント処理の手順を示すフロー図である。（実施形態）
【図８】アイコン手動変位処理の手順を示すフロー図である。（実施形態）
【図９】アイコン消去処理の手順を示すフロー図である。（実施形態）
【図１０】アイコン自動変位処理の手順を示すフロー図である。（実施形態）
【図１１】アイコン拡散処理の手順を示すフロー図である。（実施形態）
【図１２】アイコン再変位処理の手順を示すフロー図である。（実施形態）
【発明を実施するための形態】
【００１６】
＜定義＞
・要素…Ｗｅｂページ内に表示されるテキスト，画像，図形，ボタン等の総称。
・リンク要素…他のＷｅｂページへのリンクが設定されている要素。
・アイコン…表示画面上に各種のデータや処理機能を絵又は絵文字として表示したもの。以下の説明では、他のＷｅｂページへのリンクが設定されていない画像。なお、アイコン（画像）は、リンク要素の前面に配置されて当該リンク要素のクリックを妨害する。
・内容領域…Ｗｅｂページ内において要素が表示されているエリア。リンクが設定されたテキストであれば、選択時に点線等により囲まれる範囲。画像，図形，ボタン等であれば、当該画像，図形，ボタン等の枠内。
・変位…特定の要素を第１点から第２点まで移動させること。例えば、次のような態様がある。
（ａ）第１点と第２点とを結ぶ線（線分，曲線）上に複数の点を取り、各点において要素の表示・消去を順次高速で繰り返す。
（ｂ）第１点に表示中の要素を第２点までスライドさせる。
（ｃ）第１点に表示中の要素を消去し、第２点に要素を表示する。
【００１７】
＜実施形態＞
［１．システム構成］
図１に、本実施形態のオブジェクト制御方法に係るシステムの構成を示す。図１に示すように、本実施形態のオブジェクト制御方法に係るシステムは、Ｗｅｂサーバ１０とユーザ端末２０とが通信ネットワーク（本実施形態のオブジェクト制御方法に係るシステムでは、インターネット３０）を介して接続されたクライアント・サーバシステムである。
【００１８】
Ｗｅｂサーバ１０は、Ｗｅｂページを構成する各種のデータ（ＨＴＭＬ及び当該ＨＴＭＬが参照する画像，スタイルシート，スクリプト等。以下、これらをまとめて「Ｗｅｂデータ」という。）を記憶しているＷｅｂＤＢ１１を有しており、ユーザ端末２０からの要求に応じて指定されたＷｅｂデータをユーザ端末２０に送信する。
【００１９】
また、Ｗｅｂサーバ１０は、ユーザの登録情報（住所、氏名、年齢、性別、メールアドレス。以下、これらをまとめて「ユーザ属性」という。）を記憶しているユーザＤＢ１２を有している。ユーザＤＢ１２はＷｅｂサーバ１０に、Ｗｅｂページを生成するための属性情報を提供する。また、Ｗｅｂサーバ１０は、Ｗｅｂページごとの過去の利用履歴（年月日や曜日や時間ごとの閲覧回数、クリック率、及び、注文数）を記憶している利用履歴ＤＢ１３を有している。利用履歴ＤＢ１３はＷｅｂサーバ１０に、Ｗｅｂページを生成するための履歴情報を提供する。
【００２０】
ユーザ端末２０は、Ｗｅｂブラウザを有しており、Ｗｅｂサーバ１０から受信したＷｅｂデータを読み込み、ディスプレイに表示する。なお、当該Ｗｅｂブラウザは、スクリプト（例えば、JavaScript（登録商標）で記載されたプログラム）の解釈・実行に対応しているものとし、解釈・実行の設定がオンになっているものとする。ユーザ端末２０は、通信機能を有する既存の情報処理端末（例えば、パソコン等の電子計算機等）でよい。
【００２１】
［２．オブジェクト制御プログラム］
［（ａ）特徴］
本実施形態のオブジェクト制御方法に係るシステムでは、Ｗｅｂサーバ１０が送信するＷｅｂページにスクリプト（オブジェクト制御プログラム）を組み込み、ユーザ端末２０に実行させる。なお、当該Ｗｅｂページには、リンク要素（他のＷｅｂページへのリンクが設定されている要素）が複数配置されているものとする。オブジェクト制御プログラムを読み込んだコンピュータ端末は、Ｗｅｂページ内でリンク要素の前面に複数のアイコンを重畳表示する。また、所定のイベントを検出したとき、イベントの種類に応じて、例えば次のようにアイコンを制御する。
（ａ）特定のアイコンの配置位置を変更する。
（ｂ）特定のアイコンを一時的に又は完全に消去する。
（ｃ）複数の不特定のアイコンの配置位置を変更する。
【００２２】
Ｗｅｂページにおいて、リンク要素は商店街又はショッピングモールを具現化し、アイコンは当該商店街又はショッピングモールに来訪するユーザを具現化している。複数のアイコンを特定のリンク要素の前面に重畳表示することにより、特定の商品又はショップに「人だかり」ができている様子がＷｅｂページ上で表現される。また、ユーザの操作（例えば、ポインタの移動，クリック等）に応じてアイコンを制御することにより、その「人だかり」に割って入っていく様子が連想される。これらの結果として、Ｗｅｂページ内に人気（ひとけ）を演出することができる。
【００２３】
より詳細には、本発明は、最初に、Ｗｅｂページ内の複数の要素の中から、少なくとも１つの要素を設定する。現在又は過去の各種のアクセスデータ・統計的データ（例えば、閲覧回数（ＰＶ），クリック率（ＣＴＲ），注文数等）によって、複数の要素の中から少なくとも１つの要素を設定することができる。また、現在のサーバ負荷に応じて、アクセスさせたい要素、アクセスさせたくない要素を認識して、複数の要素の中から少なくとも１つの要素を設定することができる。要素の設定には、現在のアクセスデータを利用したり、一定周期遡ったときの一定の期間の過去データを利用したり、現在のサーバ負荷を利用したりする。いずれの場合においても、閾値を設定し、その閾値を基準に要素を設定すればよい。
【００２４】
次に、アイコンの数を設定する。アイコンの数は複数が好ましい。複数のアイコンを設定する場合、現在又は過去のアクセスデータや現在のサーバ負荷に応じてアイコン数を決定することができる。アクセスデータを利用する場合、利用履歴を参照して、ユーザの属性（性別、年齢、地域などの属性）に応じてアイコン形態を変えることができる。
【００２５】
次に、アイコンごとに、設定したターゲット要素の内容領域内に目標位置を設定する。目標位置は、ターゲット要素の中から設定される。総ての要素がターゲット要素である場合、それらの要素は目標位置の候補となる。しかし、候補であっても、目標位置に設定されない場合もある。目標位置を内容領域内に設定し、要素の上にアイコンを設定し、収束したアイコンを要素に重畳的に表示させることで、要素に関連する商品等の着目度を表現することができる。
【００２６】
クリックを妨害するアイコンによって、リンク要素へのアクセスが制限されて、ユーザの購入意欲を刺激する効果を期待できることに加え、複数のリンク要素のうち一部のリンク要素へのアクセスを制限して、残余のリンク要素にアクセスを振り分けることができるので、一部のリンク要素を処理するサーバ負荷を軽減して、サーバ全体の負荷を均等化することができる。
【００２７】
［（ｂ）実行手順］
図２に、本実施形態のオブジェクト制御方法に係るシステムにおけるオブジェクト制御プログラムの実行手順を示す。
〔１１〕ユーザ端末２０は、Ｗｅｂサーバ１０に対しＵＲＬを指定してＷｅｂページを要求する（Ｓ２０５ａ）。Ｗｅｂサーバ１０は、ユーザ端末２０からＷｅｂページの要求を受信する（Ｓ２０５ｂ）と、指定されたＵＲＬに対応するＨＴＭＬデータをＷｅｂＤＢ１１より抽出し（Ｓ２１０ｂ）、必要に応じて、ユーザＤＢ１２及び利用履歴ＤＢ１３を参照し、ユーザ端末２０に送信する（Ｓ２１５ｂ）。ユーザ端末２０は、Ｗｅｂサーバ１０からＨＴＭＬデータを受信し（Ｓ２１５ａ）、ディスプレイにＷｅｂページを表示する（Ｓ２２０ａ）。
【００２８】
〔１２〕ユーザ端末２０は、Ｗｅｂサーバ１０に対しＵＲＬを指定してＨＴＭＬデータ内の参照データを要求する（Ｓ２２５ａ）。Ｗｅｂサーバ１０は、ユーザ端末２０から参照データの要求を受信する（Ｓ２２５ｂ）と、指定されたＵＲＬに対応する参照データをＷｅｂＤＢ１１より抽出し（Ｓ２３０ｂ）、必要に応じて、ユーザＤＢ１２及び利用履歴ＤＢ１３を参照し、ユーザ端末２０に送信する（Ｓ２３５ｂ）。ユーザ端末２０は、Ｗｅｂサーバ１０から参照データを受信する（Ｓ２３５ａ）と、当該参照データを読み込み（Ｓ２４０ａ）、必要に応じて表示中のＷｅｂページに反映させる。
【００２９】
〔１３〕ユーザ端末２０は、Ｗｅｂページ（参照データを含む）のロードが完了したか否かを判定する（Ｓ２４５ａ）。ロードが完了していなければ（Ｓ２４５ａでＮｏ）、上記〔１２〕に戻り、他の参照データをさらに取得する。一方、ロードが完了していれば（Ｓ２４５ａでＹｅｓ）、下記〔１４〕に進み、スクリプト（オブジェクト制御プログラム）の実行を開始する。
〔１４〕初期化処理（Ｓ２５０ａ、図３）及びイベント処理（Ｓ２５５ａ、図７）を実行する。また、所定の時間ごと（例えば、５０００ミリ秒ごと）にアイコン変位処理を繰り返し実行する。
【００３０】
［３．初期化処理］
［（ａ）初期化処理の手順］
図３に、初期化処理の手順を示す。ここでは、所定数（本実施形態では、１００個）のアイコン（オブジェクト）を生成してＷｅｂページ内に配置し、種々のプロパティ（属性）及びメソッド（手続）を設定する手順を例示する。なお、プロパティ項目については、図４を参照して後述する。図３に示すように、ユーザ端末２０は、下記〔２１〕〜〔２６〕の手順により、初期化処理を実行する。
【００３１】
〔２１〕アイコンの番号を示すカウンタｉに、初期値１を代入する（Ｓ３０５）。
〔２２〕Ｗｅｂページ内にアイコン（画像要素）を配置する（Ｓ３１０）。アイコンには、カウンタ番号ｉを含むｉｄを付すものとする。なお、この時点では、配置位置及び画像ファイルが設定されていないため、Ｗｅｂページ内にアイコンは表示されない。
〔２３〕そのアイコンについて、「ターゲット要素」，「配置位置」，「自機数」及び「動きやすさ指数」をそれぞれ設定する（Ｓ３１５〜Ｓ３３０）。
【００３２】
〔２４〕そのアイコンの画像ファイルを設定する（Ｓ３３５）。画像ファイルは、複数のファイルの中からランダムに選択するとよい。各画像のサイズは任意でよく、異なるサイズの画像が混在していてもよい。この時点で、Ｗｅｂページ内にアイコン（画像）が表示される。
〔２５〕そのアイコンに、［４．イベント処理］（後述）の各処理を実現するためのメソッドを設定する（Ｓ３４０）。
〔２６〕カウンタｉが所定数（本実施形態では、１００）に等しいか否かを判定する（Ｓ３４５）。カウンタｉが所定数に等しいとき（Ｓ３４５でＹｅｓ）、初期化処理を終了する。一方、カウンタｉが所定数に等しくないとき（Ｓ３４５でＮｏ）、カウンタｉに１を加算し（Ｓ３５０）、上記〔２２〕に戻る。
【００３３】
［（ｂ）ターゲット要素の設定］
上記手順〔２３〕において、ユーザ端末２０は、アイコンの「ターゲット要素」を設定する（Ｓ３１５）。具体的には、Ｗｅｂページ中の複数の要素（リンク要素）に所定のｉｄを付しておき、当該複数のｉｄの中からランダムにいずれかを選択し、当該選択したｉｄが付された要素を「ターゲット要素」に設定する。なお、例えば次の要素に所定のｉｄを付与しておくとよい。これにより、当該要素の前面にアイコンが表示され、ユーザの注目を集めることができる。
・特定のバナー広告
・特定のリンクテキスト
・特定のキャンペーンページへのリンクが設定された画像
【００３４】
ターゲット要素を特定するには、利用履歴ＤＢ１３を参照し、現在又は過去の各種のアクセスデータ・統計的データ（例えば、閲覧回数（ＰＶ），クリック率（ＣＴＲ），注文数等）によって、複数の要素の中から少なくとも１つの要素を設定する。また、Ｗｅｂサーバ１０を参照し、現在のサーバ負荷に応じて、アクセスさせたい要素、アクセスさせたくない要素を認識して、複数の要素の中から少なくとも１つの要素を設定することができる。要素の設定には、現在のアクセスデータを利用したり、一定周期遡ったときの一定の期間の過去データを利用したり、現在のサーバ負荷を利用したりする。いずれの場合においても、閾値を設定し、その閾値を基準に要素を設定すればよい。
【００３５】
また、現在のアクセスデータ、一定周期遡ったときの一定の期間の過去データ、現在のサーバ負荷の時間による微分値を取得し、アクセス集中が予想されるＷｅｂページや、サーバ負荷が増大しつつあるＷｅｂページを判別して、ターゲット要素を特定することが好ましい。
【００３６】
［（ｃ）配置位置の設定］
上記手順〔２３〕において、ユーザ端末２０は、アイコンの「配置位置」を設定する（Ｓ３２０）。具体的には、選択したターゲット要素の内容領域内又はその外縁上の点の周囲のランダムな位置を「配置位置」に設定する。本実施形態では、選択した「ターゲット要素」の左上位置の周囲のランダムな位置を「配置位置」に設定している。なお、選択した「ターゲット要素」の内容領域内及びその周囲のランダムな位置に「配置位置」を設定すれば、当該「ターゲット要素」を複数のアイコン（画像）で覆い、当該「ターゲット要素」に対するクリックを妨害することができる。
【００３７】
［（ｄ）自機数の設定］
上記手順〔２３〕において、ユーザ端末２０は、アイコンの「自機数」を設定する（Ｓ３２５）。ここで、「自機数」は、そのアイコンを完全に消去するために必要なクリック回数である。例えば、所定範囲内（例えば、１〜３）のランダムな自然数を生成し、「自機数」に設定する。なお、すべてのアイコンの「自機数」を一定の自然数（例えば、１，２等）に設定してもよい。
【００３８】
［（ｅ）動きやすさ指数の設定］
上記手順〔２３〕において、ユーザ端末２０は、アイコンの「動きやすさ指数」を設定する（Ｓ３３０）。ここで、「動きやすさ指数」は、そのアイコンがユーザの操作に応じて変位する可能性の高さを示す数値である。例えば、所定範囲内（例えば、５１〜１００）のランダムな自然数を生成し、「動きやすさ指数」に設定する。なお、すべてのアイコンの「動きやすさ指数」を一定の自然数（例えば、５０等）に設定してもよい。また、各アイコンにアイコンの番号（ｉｄ）に対応する自然数を設定してもよい。
【００３９】
［（ｆ）プロパティ項目］
図４に、各アイコンオブジェクトの主要なプロパティ項目を示す。図４に示すように、アイコンオブジェクトのプロパティには、「識別情報」，「ターゲット要素」，「配置位置」，「画像ファイルＵＲＬ」，「自機数」，「動きやすさ指数」，「位置移動フラグ」，「表示属性」及び「クリック回数カウンタ」が含まれる。ここで、「位置移動フラグ」は、そのアイコンが変位後の位置に配置されているか否かを示すフラグであり、有意のとき変位後の位置に配置されていることを示す。
【００４０】
［（ｇ）アイコンの表示例］
図５〜図６に、アイコンの表示例を示す。図５〜図６は、ヒトを模した画像（一定の領域を有する画像であり、ヒトの身体に当たる部分以外は透明になっている）をアイコンとし、当該アイコンが特定のリンク要素（ターゲット要素）の前面に重畳表示されている様子を示している。
【００４１】
図５の表示例では、Ｗｅｂページ（５００）の上方において、複数のアイコンが、ターゲット要素（５１１）の左上位置周辺に設定された配置位置において、当該ターゲット要素の前面に重畳表示されている（５１２）。図６の表示例では、Ｗｅｂページ（５００）の下方において、複数のアイコンが、ターゲット要素（５２１又は５３１）の左上位置周辺に設定された配置位置において、当該ターゲット要素の前面に重畳表示されている（５２２又は５３２）。
【００４２】
これらの表示例からも分かるように、Ｗｅｂページ内で特定のリンク要素（ターゲット要素）の前面に複数のアイコンが重畳表示されている様子から、多数の消費者が特定の商品又はショップに群がる様子が連想される。その結果、当該リンク要素に対するユーザの注目を集めることができる。また、多数のアイコンは、リンク要素（ターゲット要素）の前面に重畳配置され、当該リンク要素に対するクリックを妨害する。その結果、当該リンク要素のリンク先のＷｅｂページで紹介されているバーゲン商品（例えば、数量限定，時間限定の商品）に対するユーザの購入意欲を刺激する効果が期待できる。
【００４３】
［４．イベント処理］
［４−１．イベント処理の手順］
図７に、イベント処理の手順を示す。図７に示すように、ユーザ端末２０は、Ｗｅｂページ内でイベントを検出する（Ｓ７０５）ごとに、当該イベントの種類を判別し（Ｓ７１０）、判別されたイベントの種類に応じてアイコンを制御する（Ｓ７１５〜Ｓ７３０のいずれか）。なお、以下の説明では、ｉ番目のアイコンオブジェクト（ｉを含むｉｄが付されたアイコン）を、アイコン［ｉ］と表す。
【００４４】
［４−２．アイコン手動変位処理］
図８に、アイコン手動変位処理の手順を示す。
アイコン手動変位処理は、Ｗｅｂページ内で特定のアイコンに対するドラッグ＆ドロップを検出したとき（図７のＳ７１０で「ドラッグ＆ドロップ」）、当該アイコンの「配置位置」をドロップ先に変更する処理である。図８に示すように、ユーザ端末２０は、下記〔３１〕〜〔３４〕の手順により、アイコン手動変位処理を実行する。
【００４５】
〔３１〕アイコンの番号を示す変数ａに、ドラッグ＆ドロップされたアイコンの番号を代入する（Ｓ８０５）。
〔３２〕アイコン［ａ］のドロップ先の位置データを取得する（Ｓ８１０）。
〔３３〕アイコン［ａ］の「配置位置」をドロップ先の位置に変更する（Ｓ８１５）。
〔３４〕アイコン［ａ］の「位置移動フラグ」を更新（有意化）する（Ｓ８２０）。
【００４６】
［４−３．アイコン消去処理］
［（ａ）アイコン消去処理の手順］
図９に、アイコン消去処理の手順を示す。アイコン消去処理は、Ｗｅｂページ内で特定のアイコンに対するクリックを検出したとき（図７のＳ７１０で「アイコンクリック」）、クリック回数に応じて当該アイコンを一時的に又は完全に消去する処理である。図９に示すように、ユーザ端末２０は、下記〔４１〕〜〔４５〕の手順により、アイコン消去処理を実行する。
【００４７】
〔４１〕アイコンの番号を示す変数ｂに、クリックされたアイコンの番号を代入する（Ｓ９０５）。
〔４２〕アイコン［ｂ］の「クリック回数カウンタ」を更新（インクリメント）する（Ｓ９１０）。
〔４３〕アイコン［ｂ］の「表示属性」を「非表示」に変更する（Ｓ９１５）。例えば、当該アイコン（<img>タグ）の「display」属性の値を「none」に変更するとよい。
【００４８】
〔４４〕アイコン［ｂ］の「クリック回数カウンタ」が示す数が、アイコン［ｂ］の「自機数」に等しいか否かを判定する（Ｓ９２０）。「クリック回数カウンタ」が「自機数」に等しいとき（Ｓ９２０でＹｅｓ）、アイコン消去処理を終了する。一方、「クリック回数カウンタ」が「自機数」に等しくないとき（Ｓ９２０でＮｏ）、所定時間経過後（例えば、５０００ミリ秒後）に下記〔４５〕に進む。
〔４５〕アイコン［ｂ］の「表示属性」を「表示」に変更する（Ｓ９２５）。例えば、当該アイコン（<img>タグ）の「display」属性の値を「block」に変更するとよい。
【００４９】
［（ｂ）変形例］
上述では、１回のクリックによりアイコンを消去し（Ｓ９１５）、「クリック回数カウンタ」が「自機数」に達するまで消去したアイコンを再表示している（Ｓ９２５）。これに対し、同様にクリック回数をカウントし、クリック回数が所定の値に達したときにアイコンを消去するように構成してもよい。この場合、クリック回数が所定の値に達するまでは、特段の処理を行わない。また、上記の「クリック」を「ダブルクリック」に変更してもよい。
【００５０】
［４−４．アイコン自動変位処理］
［（ａ）アイコン自動変位処理の手順］
図１０に、アイコン自動変位処理の手順を示す。アイコン自動変位処理は、Ｗｅｂページ内で特定のアイコンの内容領域にマウスポインタが重なったことを検出したとき（図７のＳ７１０で「マウスオーバー」）、所定の確率に応じて当該アイコンを変位させる処理である。図１０に示すように、ユーザ端末２０は、下記〔５１〕〜〔５５〕の手順により、アイコン自動変位処理を実行する。
【００５１】
〔５１〕アイコンの番号を示す変数ｃに、ポインタが重なったアイコンの番号を代入する（Ｓ１００５）。
〔５２〕変数ｉｄｘに、アイコン［ｃ］の「動きやすさ指数」を代入する（Ｓ１０１０）。なお、「動きやすさ指数」には、５０〜１００の自然数が設定されているものとする。
〔５３〕所定範囲内の乱数値を生成し、変数ｒに代入する（Ｓ１０１５）。ここでは、０以上１００未満の範囲内で乱数値を生成する。
【００５２】
〔５４〕変数ｉｄｘが変数ｒより大きいか否か（アイコン［ｃ］の「動きやすさ指数」が乱数値より大きいか否か）を判定する（Ｓ１０２０）。変数ｉｄｘが変数ｒより大きいとき（Ｓ１０２０でＹｅｓ）、下記〔５５〕に進む。一方、変数ｉｄｘが変数ｒより大きくないとき（Ｓ１０２０でＮｏ）、アイコン自動変位処理を終了する。
〔５５〕アイコン［ｃ］の目的位置を設定し（Ｓ１０２５）、アイコン［ｃ］を現在位置から目的位置まで変位させ（Ｓ１０３０）、アイコン［ｃ］の「配置位置」を目的位置に変更し（Ｓ１０３５）、アイコン［ｃ］の「位置移動フラグ」を更新（有意化）する（Ｓ１０４０）。
【００５３】
［（ｂ）目的位置の設定］
上記手順〔５５〕において、ユーザ端末２０は、アイコン［ｃ］の目的位置を設定する（Ｓ１０２５）。
例えば、複数の方向候補（例えば、上下左右の４方向，斜め方向も加えた８方向等）から変位方向をランダムに選択し、所定範囲内（例えば、５０〜１００ピクセル等）でランダムな変位距離を設定する。その上で、現在位置を基準として、選択した変位方向の設定した変位距離の位置を算出し、目的位置に設定する。
【００５４】
［（ｃ）アイコンの変位等］
上記手順〔５５〕において、ユーザ端末２０は、アイコン［ｃ］を現在位置から目的位置まで変位させ（Ｓ１０３０）、アイコン［ｃ］の「配置位置」を目的位置に変更する（Ｓ１０３５）。
例えば次のような態様で変位させるとよい（上記＜定義＞参照）。なお、下記（ａ）及び（ｃ）では、アイコンの「配置位置」を変更することによりアイコンを変位させることができる。この場合、アイコンを変位させる処理（Ｓ１０３０）とアイコンの「配置位置」を変更する処理（Ｓ１０３５）とが実質的に融合する。
（ａ）第１点と第２点とを結ぶ線（線分，曲線）上に複数の点を取り、各点において要素の表示・消去を順次高速で繰り返す。
（ｂ）第１点に表示中の要素を第２点までスライドさせる。
（ｃ）第１点に表示中の要素を消去し、第２点に要素を表示する。
【００５５】
［４−５．アイコン拡散処理］
［（ａ）アイコン拡散処理の手順］
図１１に、アイコン拡散処理の手順を示す。アイコン拡散処理は、Ｗｅｂページ内で背景領域に対するクリックを検出したとき（図７のＳ７１０で「背景クリック」）、各アイコンを所定の確率に応じて変位させる処理である。なお、Ｗｅｂページ内で背景領域に対するダブルクリックを検出したときに同処理を行ってもよい。図１１に示すように、ユーザ端末２０は、下記〔６１〕〜〔６６〕の手順により、アイコン拡散処理を実行する。
【００５６】
〔６１〕所定範囲内の乱数値を生成し、変数ｒに代入する（Ｓ１１０５）。ここでは、０以上１００未満の範囲内で乱数値を生成する。
〔６２〕アイコンの番号を示すカウンタｉに、初期値１を代入する（Ｓ１１１０）。
〔６３〕変数ｉｄｘに、アイコン［ｉ］の「動きやすさ指数」を代入する（Ｓ１１１５）。なお、「動きやすさ指数」には、５０〜１００の自然数が設定されているものとする。
〔６４〕変数ｉｄｘが変数ｒより大きいか否か（アイコン［ｉ］の「動きやすさ指数」が乱数値より大きいか否か）を判定する（Ｓ１１２０）。変数ｉｄｘが変数ｒより大きいとき（Ｓ１１２０でＹｅｓ）、下記〔６５〕に進む。一方、変数ｉｄｘが変数ｒより大きくないとき（Ｓ１１２０でＮｏ）、下記〔６６〕に進む。
【００５７】
〔６５〕アイコン［ｉ］の目的位置を設定し（Ｓ１１２５）、アイコン［ｉ］を現在位置から目的位置まで変位させ（Ｓ１１３０）、アイコン［ｉ］の「配置位置」を目的位置に変更し（Ｓ１１３５）、アイコン［ｉ］の「位置移動フラグ」を更新（有意化）する（Ｓ１１４０）。
〔６６〕カウンタｉが所定数（Ｗｅｂページに表示するアイコンの数。本実施形態では、１００）に等しいか否かを判定する（Ｓ１１４５）。カウンタｉが所定数に等しいとき（Ｓ１１４５でＹｅｓ）、アイコン拡散処理を終了する。一方、カウンタｉが所定数に等しくないとき（Ｓ１１４５でＮｏ）、カウンタｉに１を加算し（Ｓ１１５０）、上記〔６３〕に戻る。
【００５８】
［（ｂ）アイコンの変位等］
上記手順〔６５〕において、ユーザ端末２０は、アイコン［ｉ］の目的位置を設定し（Ｓ１１２５）、アイコン［ｉ］を現在位置から目的位置まで変位させ（Ｓ１１３０）、アイコン［ｉ］の「配置位置」を目的位置に変更する（Ｓ１１３５）。
なお、目的位置の設定，アイコンの変位態様等は、上記［４−４．アイコン自動変位処理］の場合と同様である（［４−４．アイコン自動変位処理］の［（ｂ）目的位置の設定］，［（ｃ）アイコンの変位等］参照）。
【００５９】
［５．アイコン再変位処理］
［（ａ）アイコン再変位処理の手順］
図１２に、アイコン再変位処理の手順を示す。アイコン再変位処理は、Ｗｅｂページ内で配置位置が変更されたアイコン（リンク要素の前面に配置されていないアイコン）を、選択したターゲットの方向に再度変位させる処理である。図１２に示すように、ユーザ端末２０は、下記〔７１〕〜〔７６〕の手順により、アイコン再変位処理を実行する。なお、アイコン再変位処理は、所定の時間ごと（例えば、５０００ミリ秒ごと）に繰り返し実行するとよい。
【００６０】
〔７１〕アイコンの番号を示すカウンタｉに、初期値１を代入する（Ｓ１２０５）。
〔７２〕アイコン［ｉ］の「表示属性」が「表示」であるか否かを判定する（Ｓ１２１０）。「表示属性」が「表示」であるとき（Ｓ１２１０でＹｅｓ）、下記〔７３〕に進む。一方、「表示属性」が「表示」でないとき（Ｓ１２１０でＮｏ）、下記〔７６〕に進む。
〔７３〕アイコン［ｉ］の「位置移動フラグ」が有意であるか否かを判定する（Ｓ１２１５）。「位置移動フラグ」が有意であるとき（Ｓ１２１５でＹｅｓ）、下記〔７４〕に進む。一方、「位置移動フラグ」が有意でないとき（Ｓ１２１５でＮｏ）、下記〔７６〕に進む。
【００６１】
〔７４〕アイコン［ｉ］の「位置移動フラグ」を更新（無意化）する（Ｓ１２２０）。
〔７５〕アイコン［ｉ］の目的位置を設定し（Ｓ１２２５）、アイコン［ｉ］を現在位置から目的位置まで変位させ（Ｓ１２３０）、アイコン［ｉ］の「配置位置」を目的位置に変更する（Ｓ１２３５）。
〔７６〕カウンタｉが所定数（Ｗｅｂページに表示するアイコンの数。本実施形態では、１００）に等しいか否かを判定する（Ｓ１２４０）。カウンタｉが所定数に等しいとき（Ｓ１２４０でＹｅｓ）、アイコン再変位処理を終了する。一方、カウンタｉが所定数に等しくないとき（Ｓ１２４０でＮｏ）、カウンタｉに１を加算し（Ｓ１２４５）、上記〔７２〕に戻る。
【００６２】
［（ｂ）目的位置の設定］
上記手順〔７５〕において、ユーザ端末２０は、アイコン［ｉ］の目的位置を設定する（Ｓ１２２５）。具体的には、アイコン［ｉ］の「ターゲット要素」の内容領域内又はその外縁上の点の周囲のランダムな位置を目的位置に設定する。
なお、変位前の位置（図８のＳ８１５，図１０のＳ１０３０又は図１１のＳ１１３０における変位前の位置）を記憶しておいて、当該変位前の位置を目的位置に設定してもよい。
【００６３】
［（ｃ）アイコンの変位等］
上記手順〔７５〕において、ユーザ端末２０は、アイコン［ｉ］を現在位置から目的位置まで変位させ（Ｓ１２３０）、アイコン［ｉ］の「配置位置」を目的位置に変更する（Ｓ１２３５）。なお、アイコンの変位態様等は、上記［４−４．アイコン自動変位処理］の場合と同様である（［４−４．アイコン自動変位処理］の［（ｃ）アイコンの変位等］参照）。
【符号の説明】
【００６４】
１０      Ｗｅｂサーバ
１１      ＷｅｂＤＢ
２０      ユーザ端末
３０      インターネット
５００    Ｗｅｂページ
【図１】
2011052513.tif 000003
【図２】
2011052513.tif 000004
【図３】
2011052513.tif 000005
【図４】
2011052513.tif 000006
【図７】
2011052513.tif 000007
【図８】
2011052513.tif 000008
【図９】
2011052513.tif 000009
【図１０】
2011052513.tif 000010
【図１１】
2011052513.tif 000011
【図１２】
2011052513.tif 000012
【図５】
2011052513.tif 000013
【図６】
2011052513.tif 000014
【手続補正書】
【提出日】平成24年4月26日(2012.4.26)
【手続補正１】
【補正対象書類名】特許請求の範囲
【補正対象項目名】全文
【補正方法】変更
【補正の内容】
【特許請求の範囲】
【請求項１】
他のＷｅｂページへのリンクが設定されている複数のリンク要素を含むＷｅｂページにおいて、該リンク要素に関連付けて複数のアイコンを表示するオブジェクト制御方法であって、
前記複数のリンク要素を含むＷｅｂページを表示するコンピュータ端末に、
前記複数のリンク要素の中から少なくとも１つのリンク要素を設定するリンク要素設定ステップと、
前記アイコンごとに、前記設定されたリンク要素の内容領域内に当該アイコンの配置位置を設定する配置位置設定ステップと、
前記設定した配置位置において前記リンク要素の前面に当該リンク要素のクリックを妨害する前記アイコンを表示するアイコン表示ステップと、
前記アイコンに対するユーザ操作を検出したとき、１又は複数のアイコンを変位させるアイコン変位ステップと
を実行させる
ことを特徴とするオブジェクト制御方法。
【請求項２】
請求項１に記載のオブジェクト制御方法において、
前記リンク要素設定ステップは、現在のアクセスデータを利用して、前記複数のリンク要素の中から少なくとも１つのリンク要素を設定する
ことを特徴とするオブジェクト制御方法。
【請求項３】
請求項１に記載のオブジェクト制御方法において、
前記リンク要素設定ステップは、現在のサーバ負荷を利用して、前記複数のリンク要素の中から少なくとも１つのリンク要素を設定する
ことを特徴とするオブジェクト制御方法。
【請求項４】
請求項２又は３に記載のオブジェクト制御方法において、
前記リンク要素設定ステップは、現在のアクセスデータ又は現在のサーバ負荷の時間による微分値を取得し、前記複数のリンク要素の中から少なくとも１つのリンク要素を設定する
ことを特徴とするオブジェクト制御方法。
【請求項５】
請求項１に記載のオブジェクト制御方法において、
前記各アイコンは、一定の領域を有する画像であり、
前記複数のアイコンを前記リンク要素の前面の全面に重畳表示させて、該複数のアイコンによって該リンク要素に対するクリックを妨害する
ことを特徴とするオブジェクト制御方法。
【請求項６】
請求項１〜５のいずれか一項に記載のオブジェクト制御方法において、
前記変位させたアイコンごとに、該アイコンを変更前の配置位置又はその周辺に向けて変位させるアイコン再変位ステップを、前記コンピュータ端末にさらに実行させる
ことを特徴とするオブジェクト制御方法。
【請求項７】
請求項１〜６のいずれか一項に記載のオブジェクト制御方法において、
前記いずれかのアイコンに対するクリック又はダブルクリックを検出したとき、該アイコンを消去するアイコン消去ステップを、前記コンピュータ端末にさらに実行させる
ことを特徴とするオブジェクト制御方法。
【請求項８】
請求項７に記載のオブジェクト制御方法において、
前記アイコン消去ステップは、前記アイコンごとに該アイコンに対するクリック回数をカウントし、該カウントしたクリック回数が所定値に達していないとき前記消去したアイコンを所定時間経過後に再表示する処理を含む
ことを特徴とするオブジェクト制御方法。
【請求項９】
請求項７に記載のオブジェクト制御方法において、
前記アイコン消去ステップは、前記アイコンごとに該アイコンに対するクリック回数をカウントし、該カウントしたクリック回数が所定値に達したとき該アイコンを消去するステップである
ことを特徴とするオブジェクト制御方法。
【請求項１０】
他のＷｅｂページへのリンクが設定されている複数のリンク要素を含むＷｅｂページにおいて、該リンク要素に関連付けて複数のアイコンを表示するオブジェクト制御プログラムであって、
前記複数のリンク要素を含むＷｅｂページを表示するコンピュータ端末に、
前記複数のリンク要素の中から少なくとも１つのリンク要素を設定するリンク要素設定ステップと、
前記アイコンごとに、前記設定されたリンク要素の内容領域内に当該アイコンの配置位置を設定する配置位置設定ステップと、
前記設定した配置位置において前記リンク要素の前面に当該リンク要素のクリックを妨害する前記アイコンを表示するアイコン表示ステップと、
前記アイコンに対するユーザ操作を検出したとき、１又は複数のアイコンを変位させるアイコン変位ステップと
を実行させる
ことを特徴とするオブジェクト制御プログラム。
【請求項１１】
ユーザ端末と接続可能なＷｅｂサーバであって、
他のＷｅｂページへのリンクが設定されているリンク要素を含むＷｅｂページのデータと、該Ｗｅｂページに組み込まれた請求項１０に記載のオブジェクト制御プログラムとを少なくとも含むＷｅｂデータを記憶しているＷｅｂデータ記憶手段を有し、
前記ユーザ端末からの要求に応じて、前記Ｗｅｂデータを該ユーザ端末に送信するＷｅｂデータ送信手段を備える
ことを特徴とするＷｅｂサーバ。
【手続補正書】
【提出日】平成24年9月19日(2012.9.19)
【手続補正１】
【補正対象書類名】特許請求の範囲
【補正対象項目名】全文
【補正方法】変更
【補正の内容】
【特許請求の範囲】
【請求項１】
他のＷｅｂページへのリンクが設定されている複数のリンク要素を含むＷｅｂページにおいて、該リンク要素に関連付けて複数のアイコンを表示するオブジェクト制御方法であって、
前記複数のリンク要素を含むＷｅｂページを表示するコンピュータ端末に、
現在のアクセスデータを利用して、前記複数のリンク要素の中から少なくとも１つのリンク要素を設定するリンク要素設定ステップと、
前記アイコンごとに、前記設定されたリンク要素の内容領域内に当該アイコンの配置位置を設定する配置位置設定ステップと、
前記設定した配置位置において前記リンク要素の前面に当該リンク要素のクリックを妨害する前記アイコンを表示するアイコン表示ステップと、
前記アイコンに対するユーザ操作を検出したとき、１又は複数のアイコンを変位させるアイコン変位ステップと
を実行させる
ことを特徴とするオブジェクト制御方法。
【請求項２】
請求項１に記載のオブジェクト制御方法において、
前記リンク要素設定ステップは、現在のサーバ負荷を利用して、前記複数のリンク要素の中から少なくとも１つのリンク要素を設定する
ことを特徴とするオブジェクト制御方法。
【請求項３】
請求項１に記載のオブジェクト制御方法において、
前記リンク要素設定ステップは、現在のアクセスデータの時間による微分値を取得し、前記複数のリンク要素の中から少なくとも１つのリンク要素を設定する
ことを特徴とするオブジェクト制御方法。
【請求項４】
請求項２に記載のオブジェクト制御方法において、
前記リンク要素設定ステップは、現在のサーバ負荷の時間による微分値を取得し、前記複数のリンク要素の中から少なくとも１つのリンク要素を設定する
ことを特徴とするオブジェクト制御方法。
【請求項５】
請求項１に記載のオブジェクト制御方法において、
前記各アイコンは、一定の領域を有する画像であり、
前記複数のアイコンを前記リンク要素の前面の全面に重畳表示させて、該複数のアイコンによって該リンク要素に対するクリックを妨害する
ことを特徴とするオブジェクト制御方法。
【請求項６】
請求項１に記載のオブジェクト制御方法において、
前記変位させたアイコンごとに、該アイコンを変更前の配置位置又はその周辺に向けて変位させるアイコン再変位ステップを、前記コンピュータ端末にさらに実行させる
ことを特徴とするオブジェクト制御方法。
【請求項７】
請求項２に記載のオブジェクト制御方法において、
前記変位させたアイコンごとに、該アイコンを変更前の配置位置又はその周辺に向けて変位させるアイコン再変位ステップを、前記コンピュータ端末にさらに実行させる
ことを特徴とするオブジェクト制御方法。
【請求項８】
請求項１に記載のオブジェクト制御方法において、
前記いずれかのアイコンに対するクリック又はダブルクリックを検出したとき、該アイコンを消去するアイコン消去ステップを、前記コンピュータ端末にさらに実行させる
ことを特徴とするオブジェクト制御方法。
【請求項９】
請求項２に記載のオブジェクト制御方法において、
前記いずれかのアイコンに対するクリック又はダブルクリックを検出したとき、該アイコンを消去するアイコン消去ステップを、前記コンピュータ端末にさらに実行させる
ことを特徴とするオブジェクト制御方法。
【請求項１０】
請求項８に記載のオブジェクト制御方法において、
前記アイコン消去ステップは、前記アイコンごとに該アイコンに対するクリック回数をカウントし、該カウントしたクリック回数が所定値に達していないとき前記消去したアイコンを所定時間経過後に再表示する処理を含む
ことを特徴とするオブジェクト制御方法。
【請求項１１】
請求項９に記載のオブジェクト制御方法において、
前記アイコン消去ステップは、前記アイコンごとに該アイコンに対するクリック回数をカウントし、該カウントしたクリック回数が所定値に達していないとき前記消去したアイコンを所定時間経過後に再表示する処理を含む
ことを特徴とするオブジェクト制御方法。
【請求項１２】
請求項８に記載のオブジェクト制御方法において、
前記アイコン消去ステップは、前記アイコンごとに該アイコンに対するクリック回数をカウントし、該カウントしたクリック回数が所定値に達したとき該アイコンを消去するステップである
ことを特徴とするオブジェクト制御方法。
【請求項１３】
請求項９に記載のオブジェクト制御方法において、
前記アイコン消去ステップは、前記アイコンごとに該アイコンに対するクリック回数をカウントし、該カウントしたクリック回数が所定値に達したとき該アイコンを消去するステップである
ことを特徴とするオブジェクト制御方法。
【請求項１４】
他のＷｅｂページへのリンクが設定されている複数のリンク要素を含むＷｅｂページにおいて、該リンク要素に関連付けて複数のアイコンを表示するオブジェクト制御プログラムであって、
前記複数のリンク要素を含むＷｅｂページを表示するコンピュータ端末に、
現在のアクセスデータを利用して、前記複数のリンク要素の中から少なくとも１つのリンク要素を設定するリンク要素設定ステップと、
前記アイコンごとに、前記設定されたリンク要素の内容領域内に当該アイコンの配置位置を設定する配置位置設定ステップと、
前記設定した配置位置において前記リンク要素の前面に当該リンク要素のクリックを妨害する前記アイコンを表示するアイコン表示ステップと、
前記アイコンに対するユーザ操作を検出したとき、１又は複数のアイコンを変位させるアイコン変位ステップと
を実行させる
ことを特徴とするオブジェクト制御プログラム。
【請求項１５】
ユーザ端末と接続可能なＷｅｂサーバであって、
他のＷｅｂページへのリンクが設定されているリンク要素を含むＷｅｂページのデータと、該Ｗｅｂページに組み込まれたオブジェクト制御プログラムとを少なくとも含むＷｅｂデータを記憶しているＷｅｂデータ記憶手段を有し、
前記ユーザ端末からの要求に応じて、前記Ｗｅｂデータを該ユーザ端末に送信するＷｅｂデータ送信手段を備え、
前記オブジェクト制御プログラムは、他のＷｅｂページへのリンクが設定されている複数のリンク要素を含むＷｅｂページにおいて、該リンク要素に関連付けて複数のアイコンを表示するプログラムであって、
前記オブジェクト制御プログラムは、
前記複数のリンク要素を含むＷｅｂページを表示するコンピュータ端末に、
現在のアクセスデータを利用して、前記複数のリンク要素の中から少なくとも１つのリンク要素を設定するリンク要素設定ステップと、
前記アイコンごとに、前記設定されたリンク要素の内容領域内に当該アイコンの配置位置を設定する配置位置設定ステップと、
前記設定した配置位置において前記リンク要素の前面に当該リンク要素のクリックを妨害する前記アイコンを表示するアイコン表示ステップと、
前記アイコンに対するユーザ操作を検出したとき、１又は複数のアイコンを変位させるアイコン変位ステップと
を実行させる、
Ｗｅｂサーバ。
【手続補正２】
【補正対象書類名】明細書
【補正対象項目名】０００７
【補正方法】変更
【補正の内容】
【０００７】
上記課題を解決するため、本発明は、他のＷｅｂページへのリンクが設定されている複数のリンク要素を含むＷｅｂページにおいて、該リンク要素に関連付けて複数のアイコンを表示するオブジェクト制御方法であって、前記複数のリンク要素を含むＷｅｂページを表示するコンピュータ端末に、現在のアクセスデータを利用して、前記複数のリンク要素の中から少なくとも１つのリンク要素を設定するリンク要素設定ステップと、前記アイコンごとに、前記設定されたリンク要素の内容領域内に当該アイコンの配置位置を設定する配置位置設定ステップと、前記設定した配置位置において前記リンク要素の前面に当該リンク要素のクリックを妨害する前記アイコンを表示するアイコン表示ステップと、前記アイコンに対するユーザ操作を検出したとき、１又は複数のアイコンを変位させるアイコン変位ステップとを実行させることを特徴とする。
【手続補正３】
【補正対象書類名】明細書
【補正対象項目名】００１１
【補正方法】変更
【補正の内容】
【００１１】
また、上記課題を解決するため、本発明は、他のＷｅｂページへのリンクが設定されている複数のリンク要素を含むＷｅｂページにおいて、該リンク要素に関連付けて複数のアイコンを表示するオブジェクト制御プログラムであって、前記複数のリンク要素を含むＷｅｂページを表示するコンピュータ端末に、現在のアクセスデータを利用して、前記複数のリンク要素の中から少なくとも１つのリンク要素を設定するリンク要素設定ステップと、前記アイコンごとに、前記設定されたリンク要素の内容領域内に当該アイコンの配置位置を設定する配置位置設定ステップと、前記設定した配置位置において前記リンク要素の前面に当該リンク要素のクリックを妨害する前記アイコンを表示するアイコン表示ステップと、前記アイコンに対するユーザ操作を検出したとき、１又は複数のアイコンを変位させるアイコン変位ステップとを実行させるプログラムであることを特徴とする。
【国際調査報告】
2011052513.tif 000015
2011052513.tif 000016
2011052513.tif 000017
2011052513.tif 000018